【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
術野に接近するためのカニューレシステムであって、
近位端および遠位端を有し、前記近位端から前記遠位端まで延びる内腔を有するカニューレ管を備えるカニューレと、
前記カニューレの近位端に固定され、その一部が前記内腔に突き出ており、前記内腔または前記カニューレ管の内腔によって規定される円筒形の空間へと延びており、これらから延びているカメラ組立体とを備え、
前記カメラ組立体が、撮像センサとレンズとプリズムとを備えており、前記プリズムが、前記内腔に突き出ている前記カメラの一部である、カニューレシステム。
【請求項２】
前記カメラ組立体の構成部品は、前記カメラの焦点距離を変えるために、前記カニューレに対して半径方向に内側または外側に並進可能である、請求項１に記載のカニューレシステム。
【請求項３】
並進可能な前記カメラ組立体の構成部品が、撮像センサである、請求項２に記載のカニューレシステム。
【請求項４】
前記プリズムが、前記中心内腔を、前記中心内腔の内径の約２５％以下まで突き出ている、請求項３記載のカニューレシステム。
【請求項５】
前記プリズムが、前記中心内腔を、前記中心内腔の内径の約１５％以下まで突き出ている、請求項４記載のカニューレシステム。
【請求項６】
並進可能な前記カメラ組立体の構成部品が、レンズである、請求項２に記載のカニューレシステム。
【請求項７】
並進可能な前記カメラ組立体の構成部品が、プリズムである、請求項２に記載のカニューレシステム。
【請求項８】
前記プリズムが、遠位に面する表面と、前記内腔を通って延びるプリズム視軸とを有し、前記プリズム視軸に対して実質的に垂直である撮像センサ視軸を有する、請求項１に記載のカニューレシステム。
【請求項９】
前記プリズム視軸が、前記プリズムの遠位に面する表面に対して垂直に、前記内腔を通って延びる、請求項８に記載のカニューレシステム。
【請求項１０】
前記プリズムが、光を前記プリズム視軸から約７０°〜約１１０°の範囲内の角度まで曲げる、請求項９記載のカニューレシステム。
【請求項１１】
前記プリズムが、光を前記プリズム視軸から約８５°〜約９５°の範囲内の角度まで曲げる、請求項１０記載のカニューレシステム。
【請求項１２】
前記プリズム視軸が、前記カニューレ管の近位端から、前記カニューレ管の管状本体の長さの約８０％〜１２０％の範囲内の距離だけ空間的に離れた点で前記カニューレ管の中心長軸と交差する、請求項８に記載のカニューレシステム。
【請求項１３】
前記プリズム視軸が、前記カニューレ管の近位端から、前記カニューレ管の管状本体の長さの約９５％〜１０５％の範囲内の距離だけ空間的に離れた点で前記カニューレ管の中心長軸と交差する、請求項８に記載のカニューレシステム。
【請求項１４】
前記カニューレ管の管状本体によって保有され、前記中心内腔を露光する少なくとも４個の光源を備えている、請求項１記載のカニューレシステム。
【請求項１５】
前記光源が、前記遠位端から前記管状本体の長さの約５０％以内に配置される、請求項１４記載のカニューレシステム。
【請求項１６】
前記光源の少なくとも１つが、前記遠位端から前記管状本体の長さの約２５％以内に配置される、請求項１５記載のカニューレシステム。
【請求項１７】
前記光源がＬＥＤを含む、請求項１４記載のカニューレシステム。
【請求項１８】
前記光源が直角ＬＥＤを含む、請求項１７記載のカニューレシステム。
【請求項１９】
前記中心内腔に光学バッフルをさらに備える、請求項１７記載のカニューレシステム。
【請求項２０】
前記プリズムが、前記内腔の内径の約２５％以下まで、前記内腔に突き出ている、請求項１に記載のカニューレシステム。
【請求項２１】
前記カニューレ管によって保有される複数の光源をさらに備えている、請求項２０に記載のカニューレシステム。
【請求項２２】
前記複数の光源が、前記カニューレ管の管状本体の長さの遠位に最大５０％以内にある、請求項２１に記載のカニューレシステム。
【請求項２３】
前記複数の光源が、前記カニューレ管の管状本体の長さの遠位に最大３０％以内にある、請求項２２に記載のカニューレシステム。
【請求項２４】
前記プリズムが、前記カニューレ管の管状本体に対して強固に取り付けられている、請求項２０に記載のカニューレシステム。
【請求項２５】
前記プリズムが、平面の遠位光学面と、前記遠位光学面に対して垂直に延び、前記長手方向軸に対して平行ではないプリズム視軸とを有する、請求項２０に記載のカニューレシステム。
【請求項２６】
前記プリズム視軸が、前記カニューレ管の管状本体の長さの約８０％〜１２０％の範囲内の距離だけ前記近位端から空間的に離れた点で前記長手方向軸と交差する、請求項２５に記載のカニューレシステム。
【請求項２７】
前記プリズム視軸が、前記カニューレ管の管状本体の長さの約９５％〜１０５％の範囲内の距離だけ前記近位端から空間的に離れた点で前記長手方向軸と交差する、請求項２５に記載のカニューレシステム。
【請求項２８】
前記撮像センサが、前記カニューレ管の管状本体に対して強固に取り付けられている、請求項２５に記載のカニューレシステム。
【請求項２９】
前記プリズムが、前記内腔の内径の約１５％以下まで、前記内腔に突き出ている、請求項１に記載のカニューレシステム。
【請求項３０】
前記カニューレ管の遠位端に固定された光源をさらに備える、請求項１に記載のカニューレシステム。
【請求項３１】
前記カニューレ管の内腔に突出する複数のバッフルをさらに備える、請求項３０に記載のカニューレシステム。
【請求項３２】
術野に接近するためのカニューレシステムであって、
近位端および遠位端を有し、前記近位端から前記遠位端まで延びる内腔を有するカニューレ管を備えるカニューレと、
前記カニューレの近位端に固定され、その一部が前記内腔に突き出ており、前記内腔または前記カニューレ管の内腔によって規定される円筒形の空間へと延びており、これらから延びているカメラ組立体とを備え、
前記カニューレ管の近位端に配置される取付構造をさらに備え、
前記カメラ組立体が、前記取付構造上に配置され、前記カメラ組立体が、前記カメラ組立体が前記内腔または前記カニューレ管の内腔によって規定される円筒形の空間へと延びており、これらから延びている第１位置から、前記カメラ組立体が前記内腔または前記カニューレ管の内腔によって規定される円筒形の空間の外側に留まっている第２位置まで、前記取付構造内を並進可能である、カニューレシステム。
【請求項３３】
前記カニューレ管の近位端に配置される光源をさらに備え、前記カニューレ管が、内表面および外表面を有する遠位部分を有し、前記内表面および前記外表面が、前記カニューレ管からの光の発生を可能にするように構成される、請求項３２に記載のカニューレシステム。
【請求項３４】
術野に接近するためのカニューレシステムであって、
近位端および遠位端を有し、前記近位端から前記遠位端まで延びる内腔を有するカニューレ管を備えるカニューレと、
前記カニューレの近位端に固定され、その一部が前記内腔に突き出ており、前記内腔または前記カニューレ管の内腔によって規定される円筒形の空間へと延びており、これらから延びているカメラ組立体とを備え、
前記カメラ組立体が、撮像センサとプリズムとを備え、前記プリズムが、前記内腔に突き出ており、前記内腔を部分的に塞ぐ前記カメラ組立体の一部であり、
前記撮像センサが、撮像面を有し、前記プリズムが、前記撮像面に対して平行に向かう光を前記撮像面の方に向かわせるように撮像面と整列している、カニューレシステム。
【請求項３５】
前記カニューレ管の近位端に配置される取付構造をさらに備え、
前記カメラ組立体が、前記取付構造上に配置され、
前記カメラ組立体が、前記プリズムが前記内腔または前記カニューレ管の内腔によって規定される円筒形の空間へと延びており、これらから延びている第１位置から、前記カメラ組立体が前記内腔または前記カニューレ管の内腔によって規定される円筒形の空間の外側に留まっている第２位置まで、前記取付構造内を並進可能である、請求項３４に記載のカニューレシステム。